(57)【要約】【課題】  通信ラインを有するオーディオ装置において、バッファＲＡＭの増加や、キータッチフィーリングを損なわないことを目的とする。【解決手段】  第１コマンド発生手段と、第２コマンド発生手段と、入力された操作内容がどのコマンドを発生させようとしているのか判断する動作判断手段と、動作判断手段で判断された結果によって、所定時間を計測するための値を設定する制限時間設定手段と、制限時間設定手段によって設定される値を保持しておく制限時間保持手段と、前記制限時間保持手段に保持されている値を、時間の経過と共に減じていく減算処理手段と、制限時間保持手段に保持されている値から減算処理手段によって減算された値を判断する制限時間判断手段と、動作判断手段と制限時間判断手段とにより判断された結果によって、コマンドを発行するコマンド発行手段と、を備えるオーディオ装置を提供する。【選択図】  図１
2006277825.tif 000002
【特許請求の範囲】
【請求項１】
第１の操作により第１のコマンドを発生させる第１コマンド発生手段と、
第１の操作に続いて第２の操作により第２のコマンドを発生させる第２コマンド発生手段と、
入力された操作内容がどのコマンドを発生させようとしているのか判断する動作判断手段と、
前記動作判断手段で判断された結果によって、所定時間を計測するための値を設定する制限時間設定手段と、
前記制限時間設定手段によって設定される値を保持しておく制限時間保持手段と、
前記制限時間保持手段に保持されている値を、時間の経過と共に減じていく減算処理手段と、
前記制限時間保持手段に保持されている値から前記減算処理手段によって減算された値を判断する制限時間判断手段と、
前記動作判断手段と前記制限時間判断手段とにより判断された結果によって、コマンドを発行するコマンド発行手段と、
を備えることを特徴とするオーディオ装置。
【請求項２】
前記動作判断手段によって、前記第２のコマンドを発生させようとしていると判断された場合には、前記制限時間設定手段によって前記制限時間保持手段に所定値が設定されることを特徴とする請求項１に記載のオーディオ装置。
【請求項３】
前記所定時間が経過する前に、前記動作判断手段によって、前記第１のコマンドを発生させようとしていると判断された場合には、前記制限時間設定手段によって前記制限時間保持手段に初期値が設定されることを特徴とする請求項１または２に記載のオーディオ装置。
【請求項４】
前記初期値が０であることを特徴とする請求項３に記載のオーディオ装置。
【請求項５】
前記所定時間が経過する前に、前記動作判断手段によって、前記第１のコマンドを発生させようとしていると判断された場合には、前記第１コマンド発生手段は前記第１のコマンドを発生しないことを特徴とする請求項１から４のいずれかに記載のオーディオ装置。
【請求項６】
前記第１のコマンドが早送り又は巻き戻しの動作を指示するためのコマンドであることを特徴とする請求項１から５のいずれかに記載のオーディオ装置。
【請求項７】
前記第２のコマンドが再生の動作を指示するためのコマンドであることを特徴とする請求項１から６のいずれかに記載のオーディオ装置。
【請求項８】
前記動作判断手段により判断された結果によって、入力操作を行ったことをユーザに通知するための操作通知手段を備えることを特徴とする請求項１から７のいずれかに記載のオーディオ装置。
【請求項９】
前記動作判断手段によって、第１のコマンドを発生させようとしていると判断された場合に、入力操作を行ったことをユーザに通知するための操作通知手段を備えることを特徴とする請求項１から８のいずれかに記載のオーディオ装置。
【請求項１０】
前記コマンド発行手段によって発行されたコマンドが、通信伝送手段を介して伝送されることを特徴とする請求項１から９のいずれかに記載のオーディオ装置。
【請求項１１】
装置に対する第１の操作により第１のコマンドを発生させる第１コマンド発生ステップと、
第１の操作に続いて実行される第２の操作により第２のコマンドを発生させる第２コマンド発生ステップと、
入力された操作内容がどのコマンドを発生させようとしているのか判断する動作判断ステップと、
前記動作判断手段で判断された結果によって、所定時間を計測するための値を設定する制限時間設定ステップと、
前記制限時間設定ステップによって設定される値を保持しておく制限時間保持ステップと、
前記制限時間保持ステップに保持されている値を、時間の経過と共に減じていく減算処理ステップと、
前記制限時間保持ステップにおいて保持された値から前記減算処理ステップによって減算された値を判断する制限時間判断ステップと、
前記動作判断ステップと前記制限時間判断ステップにより判断された結果によって、コマンドを発行するコマンド発行ステップと、
を備えることを特徴とするコマンド発生方法。
【請求項１２】
第１の操作により第１のコマンドを発生させる第１コマンド発生手段と、第１の操作に続いて第２の操作により第２のコマンドを発生させる第２コマンド発生手段と、を備えたオーディオ装置のコマンド発生プログラムにおいて、
入力された操作内容がどのコマンドを発生させようとしているのか判断する動作判断手段と、
前記動作判断手段で判断された結果によって、所定時間を計測するための値を設定する制限時間設定手段と、
前記制限時間設定手段によって設定される値を保持しておく制限時間保持手段と、
前記制限時間保持手段に保持されている値を、時間の経過と共に減じていく減算処理手段と、
前記制限時間保持手段に保持されている値から前記減算処理手段によって減算された値を判断する制限時間判断手段と、
前記動作判断手段と前記制限時間判断手段とにより判断された結果によって、コマンドを発行するコマンド発行手段と、
を備えることを特徴とするコマンド発生プログラム。
【請求項１３】
所定の操作部材に対する第１の操作により第１のコマンドを発生させる第１コマンド発生手段と、
前記所定の操作部材に対する第１の操作を解除することにより第２のコマンドを発生させる第２コマンド発生手段と、
前記所定の操作部材に対する第１の操作が行われた時に、第１の操作が行われたことを通知する通知手段と、
第２の操作が行われてから所定時間が経過するまでは、前記第１のコマンド及び前記第２のコマンドの発生を禁止する制御手段と、
を備えることを特徴とする、コマンド発生装置。
【発明の詳細な説明】
【技術分野】
【０００１】
本発明は、キー入力によりコマンドを発生させて動作を制御するオーディオ装置に関するものである。
【背景技術】
【０００２】
従来より、当該装置に関する様々な指令を入力するキー操作部からのキー入力を受け付けて各種コマンドを発生させる第１制御部と、該コマンドを受けて当該装置の動作等を制御する第２制御部と、第１制御部及び第２制御部間にてデータ通信を実現する通信ライン（バスを含む）とを備えるオーディオ装置が開発されている。
【０００３】
当該オーディオ装置は一般的にカセットデッキやＣＤ・ＭＤプレーヤ等（以下単に「プレーヤ」と称す）のユニットを含んでいる。一般的に、プレーヤは「再生（ＰＬＡＹ）」、「早送り（ＦＦ）」、「巻き戻し（ＦＢ）」等の動作状態を有し、ユーザはプレーヤの動作状態をキー入力により制御することができる。
【０００４】
キー操作部にＦＦキー（ＦＢキー）が備えられている場合、一つの操作例では、プレーヤのＰＬＡＹ動作時にユーザがＦＦ（又はＦＢ）キーを押下すると（ＦＦ（ＦＢ）キーオン）ＦＦが開始し、ＦＦ（ＦＢ）キーを押下解除すると（ＦＦ（ＦＢ）キーオフ）ＦＦが停止してＰＬＡＹ動作が開始する。
【０００５】
上述の操作例では、ユーザが、押下されていない状態のＦＦ（ＦＢ）キーを押下することによって第１制御部においてＦＦ（ＦＢ）コマンドが発行され、押下されているＦＦ（ＦＢ）キーを押下解除することによって第１制御部においてＦＦ（ＦＢ）停止コマンド及びＰＬＡＹコマンドが発行される。すなわち、一つのキーを押下し、また押下解除する操作により、第１制御部で複数のコマンドが発生する構成となっている。
【０００６】
【特許文献１】特開平８−２８７６６１
【発明の開示】
【発明が解決しようとする課題】
【０００７】
ユーザがＦＦ（ＦＢ）キーを操作する場合に、短時間にＦＦ（ＦＢ）キーの押下・押下解除を繰り返す（すなわちキーを連打する）可能性がある。ユーザがＦＦ（ＦＢ）キーを連打した場合、キーの押下・押下解除が頻繁に繰り返されることになり、第１制御部では短時間に大量のコマンドが発行される。このため通信ラインへ送信される通信データ量が著しく増加することになり、通信速度が比較的遅い通信ラインにおいては（例えば約３３３ｂｐｓ）キー連打による通信データ量の増加に通信速度が追いつかなくなるという問題があった。
【０００８】
従来、上記問題に対処するため、所定時間内にキーが連打されたときのキー操作を無効にするためのキー操作受付の制限、キー入力を記憶しておくためのキーバッファの増大、リングバッファの採用等を行っていた。
【０００９】
一般に、上記のような装置においては、ＢＥＥＰ音などにより、キー操作に対してユーザに何らかの反応を返すように構成されている。しかし、キー操作受付の制限を行えば、キーを操作したユーザに対してなんら反応が返されないため、キータッチフィーリングが悪化する。また、キーバッファ増大やリングバッファの採用は、必要以上のバッファＲＡＭを必要とし通信資源の浪費となる。
【００１０】
この発明は、上述した従来技術の問題点に鑑みてなされたものであり、通信ラインを有するオーディオ装置において、キータッチフィーリングを損なわず、バッファＲＡＭの浪費を抑えることを目的とする。
【課題を解決するための手段】
【００１１】
上記の課題を解決するため、本発明に係るオーディオ装置は、第１の操作により第１のコマンドを発生させる第１コマンド発生手段と、第１の操作に続いて第２の操作により第２のコマンドを発生させる第２コマンド発生手段と、入力された操作内容がどのコマンドを発生させようとしているのか判断する動作判断手段と、前記動作判断手段で判断された結果によって、所定時間を計測するための値を設定する制限時間設定手段と、前記制限時間設定手段によって設定される値を保持しておく制限時間保持手段と、前記制限時間保持手段に保持されている値を、時間の経過と共に減じていく減算処理手段と、前記制限時間保持手段に保持されている値から前記減算処理手段によって減算された値を判断する制限時間判断手段と、前記動作判断手段と前記制限時間判断手段とにより判断された結果によって、コマンドを発行するコマンド発行手段と、を備えることを特徴とする。
【００１２】
本発明に係るオーディオ装置の上記の構成により、動作判断手段と制限時間判断手段とにより判断された結果によってコマンドを発行するため、所定時間内に多数のコマンドが発生しない構成となっている。したがって、バッファＲＡＭを増加する必要がない。
【００１３】
また、前記動作判断手段によって、前記第２のコマンドを発生させようとしていると判断された場合には、前記制限時間設定手段によって前記制限時間保持手段に所定値が設定されることを特徴とする。
【００１４】
また、前記所定時間が経過する前に、前記動作判断手段によって、前記第１のコマンドを発生させようとしていると判断された場合には、前記制限時間設定手段によって前記制限時間保持手段に初期値が設定されることを特徴とする。さらに、前記初期値が０であることを特徴とする。
【００１５】
また、前記所定時間が経過する前に、前記動作判断手段によって、前記第１のコマンドを発生させようとしていると判断された場合には、前記第１コマンド発生手段は前記第１のコマンドを発生しないことを特徴とする。
【００１６】
前記第１のコマンドが早送り又は巻き戻しの動作を指示するためのコマンドであることを特徴とする請求項１から５のいずれかに記載のオーディオ装置。
【００１７】
また、前記第２のコマンドが再生の動作を指示するためのコマンドであることを特徴とする。
【００１８】
また、前記動作判断手段により判断された結果によって、入力操作を行ったことをユーザに通知するための操作通知手段を備えることを特徴とする。
【００１９】
また、前記動作判断手段によって、第１のコマンドを発生させようとしていると判断された場合に、入力操作を行ったことをユーザに通知するための操作通知手段を備えることを特徴とする。
【００２０】
また、前記コマンド発行手段によって発行されたコマンドが、通信伝送手段を介して伝送されることを特徴とする。
【００２１】
さらに、本発明に係るオーディオ装置のコマンド発生方法は、装置に対する第１の操作により第１のコマンドを発生させる第１コマンド発生ステップと、第１の操作に続いて実行される第２の操作により第２のコマンドを発生させる第２コマンド発生ステップと、入力された操作内容がどのコマンドを発生させようとしているのか判断する動作判断ステップと、前記動作判断手段で判断された結果によって、所定時間を計測するための値を設定する制限時間設定ステップと、前記制限時間設定ステップによって設定される値を保持しておく制限時間保持ステップと、前記制限時間保持ステップに保持されている値を、時間の経過と共に減じていく減算処理ステップと、前記制限時間保持ステップにおいて保持された値から前記減算処理ステップによって減算された値を判断する制限時間判断ステップと、前記動作判断ステップと前記制限時間判断ステップにより判断された結果によって、コマンドを発行するコマンド発行ステップと、を備えることを特徴とする。
【００２２】
さらに、本発明に係るオーディオ装置のコマンド発生プログラムは、第１の操作により第１のコマンドを発生させる第１コマンド発生手段と、第１の操作に続いて第２の操作により第２のコマンドを発生させる第２コマンド発生手段と、を備えたオーディオ装置のコマンド発生プログラムにおいて、入力された操作内容がどのコマンドを発生させようとしているのか判断する動作判断手段と、前記動作判断手段で判断された結果によって、所定時間を計測するための値を設定する制限時間設定手段と、前記制限時間設定手段によって設定される値を保持しておく制限時間保持手段と、前記制限時間保持手段に保持されている値を、時間の経過と共に減じていく減算処理手段と、前記制限時間保持手段に保持されている値から前記減算処理手段によって減算された値を判断する制限時間判断手段と、前記動作判断手段と前記制限時間判断手段とにより判断された結果によって、コマンドを発行するコマンド発行手段と、を備えることを特徴とする。
【００２３】
さらに、本発明に係るオーディオ装置のコマンド発生装置は、所定の操作部材に対する第１の操作により第１のコマンドを発生させる第１コマンド発生手段と、前記所定の操作部材に対する第１の操作を解除することにより第２のコマンドを発生させる第２コマンド発生手段と、前記所定の操作部材に対する第１の操作が行われた時に、第１の操作が行われたことを通知する通知手段と、第２の操作が行われてから所定時間が経過するまでは、前記第１のコマンド及び前記第２のコマンドの発生を禁止する制御手段と、を備えることを特徴とする
【発明の効果】
【００２４】
したがって、本発明は上記の構成により、通信ラインを有するオーディオ装置において、キータッチフィーリングを損なわず、バッファＲＡＭを必要以上に消費しないオーディオ装置を提供することができる。
【発明を実施するための最良の形態】
【００２５】
以下、図面に基づいて、本発明の実施形態に係るオーディオ装置について説明する。図１は、本発明の実施形態に係るオーディオ装置１の概略構成を示すブロック図である。
【００２６】
オーディオ装置１は、当該装置に関する様々な指令を入力するためのキーを備えるキー操作部１１と、当該装置に関する様々な情報を表示するための表示部１２と、キー操作部１１からのキー入力を受け付ける第１制御部１３と、第１制御部１３から出力される制御信号に基づいてビープ音等を出力するビープ音出力部１４と、各種記録媒体に記憶された音声情報を出力することができるプレーヤを備えるプレーヤ部１６と、プレーヤ部１６の出力信号を音量調整するためのボリューム１７と、プレーヤ部１６及びボリューム１７を制御する第２制御部１５と、ボリューム１７により音量調整された出力信号を増幅するアンプ１８と、アンプ１８により増幅された出力信号を音声出力するスピーカ１９と、を有する。尚、第１制御部１３及び第２制御部１５は、バスを含む通信ライン２０を介して双方向にデータ通信が可能である。
【００２７】
キー操作部１１は当該装置に関する様々な指令を入力するための種々のキーを備えるが、以下、本発明に係るオーディオ装置の例示的な実施形態を詳細に説明するため、プレーヤに対し早送り（又は巻き戻し）動作を実行させる操作キーである、早送り（巻き戻し）キー（以下、「ＦＦ（ＦＢ）キー」と称す）についてのみ説明を行う。故に本発明はＦＦ（ＦＢ）キーに対して限定的に適用されるものではない。
【００２８】
ユーザがＦＦ（ＦＢ）キーの入力操作を行うと、第１制御部１３はキー操作部１１への入力結果がＦＦ（ＦＢ）キーオンであるかＦＦ（ＦＢ）キーオフであるかを判断する。
【００２９】
本発明の実施形態では、ＦＦ（ＦＢ）キーは押下・押下解除を行うことができる押しボタン形式のキーであり、押下されていない状態のＦＦ（ＦＢ）キーの押下動作時に、第１制御部１３はＦＦ（ＦＢ）キーオンであると判断し、その後、押下されている状態のＦＦ（ＦＢ）キーの押下解除動作時に、第１制御部１３はＦＦ（ＦＢ）キーオフであると判断する。したがって、ＦＦ（ＦＢ）キーオン及びＦＦ（ＦＢ）キーオフは同時に生じることはなく、且つＦＦ（ＦＢ）キーオン後は必ずＦＦ（ＦＢ）キーオフの状態が生じる。すなわち、ＦＦ（ＦＢ）キーの操作によれば、ＦＦ（ＦＢ）キーオン→ＦＦ（ＦＢ）キーオフの状態が操作の回数に応じて繰り返されることとなる。
【００３０】
第１制御部１３は、キー入力を記憶しておくためのキーバッファ、タイマー値ｔ１の値を所定値（所定時間を計測するための値）に設定するためのタイマー設定手段、設定されたタイマー値ｔ１の値を保持しておくタイマー保持手段、保持されているタイマー値ｔ１の値を減算するためのタイマー減算手段、コマンドを発行するためのコマンド発行手段を含む。なお、電源投入時、タイマー値ｔ１の値は０（初期値）である。また、タイマー値ｔ１の値はゼロ若しくは正の数である。
【００３１】
コマンド発行手段は、第１制御部１３においてＦＦ（ＦＢ）キーオン又はＦＦ（ＦＢ）キーオフに基づいて行われる後述する処理の結果により、ＦＦ（ＦＢ）コマンド、ＦＦ（ＦＢ）停止コマンド、ＰＬＡＹコマンドを発行するものである。発行されたコマンドは第１制御部１３から通信ライン２０に送信され、コマンドを受信した第２制御部はそのコマンドの種類に応じてプレーヤの動作を制御する。
【００３２】
次に、プレーヤがＰＬＡＹ動作中である場合に、第１制御部１３においてＦＦ（ＦＢ）キーオン又はＦＦ（ＦＢ）キーオフの判断がなされたときの処理について説明する。
【００３３】
図２に示すフローチャートは、ＦＦ（ＦＢ）キーオン時に第１制御部１３で行われる処理を示す。この処理は第１制御部１３がＦＦ（ＦＢ）キーオンと判断した時点で開始される。ステップＳ１１では、第１制御部１３がビープ音出力部１４へ制御信号を送ることによりビープ音を鳴らす。この構成により、ユーザはＦＦ（ＦＢ）キーの押下と共にビープ音を聞くことができるので、良好なキータッチフィーリングを得ることができる。
【００３４】
次に、ステップＳ１２では、タイマー保持手段に保持されているタイマー値ｔ１の値が判断される。もし、ｔ１の値が０であれば（ステップＳ１２：ＮＯ）、ステップＳ１３へ進む。ｔ１の値が０よりも大きければ（ステップＳ１２：ＹＥＳ）、ステップＳ１４に進む。
【００３５】
ステップＳ１３では、コマンド発行手段により、ＦＦ（ＦＢ）コマンドが発行され、発行されたＦＦ（ＦＢ）コマンドが通信ライン２０に出力される。ステップＳ１４では、タイマー保持手段に保持されている０よりも大きいｔ１の値がクリアされて０となる。
【００３６】
ステップＳ１３或いはステップＳ１４の処理が終了すると、ＦＦ（ＦＢ）キーオンにより開始した図２に示される処理は終了する。このステップＳ１１からステップＳ１４の処理では、ビープ音を鳴らすと共に、タイマー保持手段に保持されているｔ１の値に応じて、ＦＦ（ＦＢ）コマンドを発行するかｔ１の値をクリアするかの判断が行われる。
【００３７】
図３に示すフローチャートは、ＦＦ（ＦＢ）キーオフ時に第１制御部１３で行われる処理を示す。この処理は第１制御部１３がＦＦ（ＦＢ）キーオフと判断した時点で開始される。ステップＳ２１では、タイマー設定手段によりタイマー値ｔ１の値が所定値に設定される。その後本処理は終了する。すなわち、本発明の実施形態によれば、ＦＦ（ＦＢ）キーオフによるのみではコマンド発行手段によりＦＦ（ＦＢ）停止コマンド及びＰＬＡＹコマンドが発行されない構成となっている。
【００３８】
図４に示すフローチャートは、定期的に呼ばれるタイマー処理を示す。この処理は、オーディオ装置１の電源ＯＮ時に常に実行されている。本発明の実施形態によれば、例えば１０ｍｓごとに処理が実行される。ステップＳ３１では、タイマー保持手段に保持されているタイマー値ｔ１の値が判断される。ｔ１の値が０であれば（ステップＳ３１：ＮＯ）本処理は終了する。ｔ１の値が０よりも大きければ（ステップＳ３１：ＹＥＳ）、ステップＳ３２へ進む。
【００３９】
ステップＳ３２では、タイマー値ｔ１に対しタイマー減算手段による処理が行われる。タイマー減算手段はタイマー保持手段に保持されているｔ１の値を読み出し、その読み出した値から所定の値だけ減算し、減算後の値をタイマー保持手段に保持されているｔ１の値に上書して更新する。
【００４０】
その後、ステップＳ３３では、ステップＳ３２のタイマー減算手段により更新されたタイマー保持手段に保持されているｔ１の値が判断される。タイマー値ｔ１の値が０であれば（ステップＳ３３：ＹＥＳ）、ステップＳ３４に進む。ｔ１の値が０でなければ（ステップＳ３３：ＮＯ）処理は終了する。
【００４１】
ステップＳ３４では、コマンド発行手段により、ＦＦ（ＦＢ）停止コマンド及びＰＬＡＹコマンドが発行され、発行された両コマンドが通信ライン２０に出力される。その後本処理は終了する。
【００４２】
本発明の実施形態によるオーディオ装置１によれば、プレーヤがＰＬＡＹ動作中である場合に第１制御部１３においてＦＦ（ＦＢ）キーオンと判断されると、タイマー保持手段に保持されているタイマー値ｔ１の値が０である場合にのみＦＦ（ＦＢ）コマンドが発行される。したがって、たとえＦＦ（ＦＢ）キーオンと判断されたとしても、ＦＦ（ＦＢ）キーオフ時にステップＳ２１（図３）において設定されたタイマー値ｔ１の値がステップＳ３２（図４）のタイマー減算手段による処理により所定時間をかけてｔ１＝０にまで減らされていなければ、コマンド発行手段はＦＦ（ＦＢ）コマンドを発行しない。また、第１制御部１３においてＦＦ（ＦＢ）キーオフと判断されてもコマンド発行手段は即時にＦＦ（ＦＢ）停止コマンド及びＰＬＡＹコマンドを発行しない。
【００４３】
その結果、ＦＦ（ＦＢ）キーオン、ＦＦ（ＦＢ）キーオフが短時間（すなわちｔ１に設定された所定値がタイマー減算手段により減算されてｔ１＝０となる所定時間）に繰り返されても、コマンド発行手段はＦＦ（ＦＢ）コマンド、ＦＦ（ＦＢ）停止コマンド、ＰＬＡＹコマンドを発行しない。この構成により、キーの連打によって通信ライン２０に送信される通信データ量は必要以上に増加しないので、キーを押された数だけバッファＲＡＭ内に送信待ちコマンドを記憶させておく必要がない。よって、バッファＲＡＭの容量を最小限に抑えることができる。
【００４４】
一方で、ＦＦ（ＦＢ）キーオンと判断されるたびに、ステップＳ１１（図２）により必ずビープ音が出力されるので、ユーザはキー入力を行ったことを認識することができるためキータッチフィーリングを損ねることがない。
【００４５】
したがって、本発明の実施形態によれば、通信速度の遅いバスを含む通信ラインを用いるオーディオ装置においては、特に有効である。
【図面の簡単な説明】
【００４６】
【図１】本発明のオーディオ装置の概略構成を示すブロック図である。
【図２】ＦＦ（ＦＢ）キーオン時に行われる第１制御部の処理を示すフローチャートである。
【図３】ＦＦ（ＦＢ）キーオフ時に行われる第１制御部の処理を示すフローチャートである。
【図４】定期的に呼ばれるタイマー処理を示すフローチャートである。
【符号の説明】
【００４７】
１１  キー操作部
１２  表示部
１３  第１制御部
１４  ビープ音出力部
１５  第２制御部
１６  プレーヤ部
１７  ボリューム
１８  アンプ
１９  スピーカ
２０  通信ライン
【図１】
2006277825.tif 000003
【図２】
2006277825.tif 000004
【図３】
2006277825.tif 000005
【図４】
2006277825.tif 000006